(57)【要約】【課題】空気調和機本体の電源リセットを容易に行えるようにする。【解決手段】空気調和機本体Ｂと、空気調和機本体Ｂを操作する遠隔制御装置Ａとを備え、空気調和機本体Ｂは、遠隔制御装置Ａからの信号を受信する本体通信回路部４と、本体制御部５と、電源開閉手段６と、電源回路部７と、電源を遮断されても本体制御部５と本体通信回路部４に電力を供給することができる充電部８とを具備し、遠隔制御装置Ａは、信号を送信する遠隔通信回路部３と、電源開閉信号を発生させる電源リセットスイッチ１と、遠隔制御部２とを具備するもので、本体通信回路部４が遠隔制御装置Ａからの電源開閉信号のうち、開信号を受信した時には電源回路部７からの電力を電源開閉手段６により遮断し、本体制御部５のリセットに十分な時間をおいてから充電部８から本体制御部５と本体通信回路部４に電力を供給する。【選択図】図１
2007240019.tif 000002
【特許請求の範囲】
【請求項１】
空気調和機本体と、前記空気調和機本体を操作する遠隔制御装置とを備え、前記空気調和機本体は、前記遠隔制御装置からの信号を受信する通信回路部と、受信した信号に応じて空気調和機本体の制御を行う制御部と、制御部からの指令により電源回路を開閉させる電源開閉手段と、電力を供給する電源回路部と、電源回路を遮断されても制御部と通信回路部に電力を供給することができる第２電源部とを具備し、遠隔制御装置は、信号を送信する通信回路部と、電源開閉信号を発生させる電源リセットスイッチと、電源開閉信号を送信する制御部とを具備するもので、前記空気調和機本体の通信回路部が前記遠隔制御装置から電源開閉信号のうち、開信号を受信した時には電源回路部からの電力を前記電源開閉手段により遮断するとともに第２電源部により電力を供給し、閉信号を受信した時には第２電源部による電力を停止して電源回路部からの電力を接続することを特徴とする空気調和機。
【請求項２】
第２電源部は、電源回路部からの電力が遮断された後、所定の時間が経過してから電力を供給することを特徴とする請求項１に記載の空気調和機。
【請求項３】
遠隔制御装置に、電源回路部からの電力が遮断されていることを表示する表示部を備えたことを特徴とする請求項１又は２に記載の空気調和機。
【発明の詳細な説明】
【技術分野】
【０００１】
本発明は遠隔制御装置を使用して動作する空気調和機に関するものである。
【背景技術】
【０００２】
従来、異常状態を検知してユーザーにその旨を通知する機能を有する空気調和機には、異常状態が生じた際には異常状態の記憶をリモートコントローラからの信号に応じて返信し、リモートコントローラは返信信号に応じて異常状態の内容をリモートコントローラの表示装置に表示し、ユーザーはこの異常情報を確認して、その故障診断に応じてサービスマンに対応を依頼していた（例えば、特許文献１参照）。
【０００３】
図３は、特許文献１に記載された従来の設置状態を示すものである。図３に示すように、室内ユニット１０１と室外ユニット１０２と、室内外を隔てる壁１０３と、制御信号路１０４と、ユーザー用の第１のリモートコントローラ１０５と、サービスマン用の第２のリモートコントローラ１０６とから構成されている。
【特許文献１】特開平４−３２４０４６号公報
【発明の開示】
【発明が解決しようとする課題】
【０００４】
しかしながら、前記従来の構成では、異常の発生の原因が偶発的な電源のノイズ等の場合であれば、再度異常状態を確認するためにサービスマンやユーザーが異常状態をクリアしようとする場合、その度に空気調和機本体のリセットスイッチや電源スイッチを操作したり、または、電源コードを抜いたり電源ブレーカーを切ったりして電源を遮断する作業をしなければならず、いちいちそれらが設置してある場所へ移動しなければならないという課題を有していた。
【課題を解決するための手段】
【０００５】
前記従来の課題を解決するために、本発明の空気調和機は、空気調和機本体と、前記空気調和機本体を操作する遠隔制御装置とを備え、前記空気調和機本体は、前記遠隔制御装置からの信号を受信する通信回路部と、受信した信号に応じて空気調和機本体の制御を行う制御部と、制御部からの指令により電源回路を開閉させる電源開閉手段と、電力を供給する電源回路部と、電源を遮断されても制御部と通信回路部に電力を供給することができる第２電源部とを具備し、遠隔制御装置は、信号を送信する通信回路部と、電源開閉信号を発生させる電源リセットスイッチと、電源開閉信号を送信する制御部とを具備するもので、前記空気調和機本体の通信回路部が前記遠隔制御装置からの電源開閉信号のうち、開信号を受信した時には電源回路部からの電力を電源開閉手段により遮断するとともに第２電源部により電力を供給し、閉信号を受信した時には第２電源部による電力を停止して電源回路部からの電力を接続するものである。これにより、遠隔制御装置を使用して電源を遮断したり接続したりすることが可能になり、空気調和機本体が設置してある場所へ移動して電源コードを抜いたり、電源ブレーカーが設置された場所へ移動したりする作業が不要となる。
【発明の効果】
【０００６】
本発明の空気調和機は、空気調和機本体が設置してある場所へ移動して電源コードを抜いたり、電源ブレーカーが設置された場所へ移動したりする作業が不要となり、工事の作業性や、サービス時の作業性を向上することが可能となるとともに、中間期などにも容易に手元の遠隔制御機器から電源を遮断することができ、無駄な待機電力を消費することを抑制することができる。
【発明を実施するための最良の形態】
【０００７】
第１の発明は、遠隔制御装置からの信号を受信する通信回路部と、受信した信号に応じて空気調和機本体の制御を行う制御部と、制御部からの指令により電源回路を開閉させる電源開閉手段と、電力を供給する電源回路部と、電源回路を遮断されても制御部と通信回路部に電力を供給することができる第２電源部とを備えた空気調和機本体と、信号を送信する通信回路部と、電源開閉信号を発生させる電源リセットスイッチと、電源開閉信号を送信する制御部を設けた遠隔制御装置とを具備して構成することにより、空気調和機本体が遠隔制御装置から電源開閉信号のうち、開信号を受信した時には電源回路部からの電力を電源開閉手段により遮断するとともに第２電源部により電力を供給し、閉信号を受信した時には第２電源部による電力を停止して電源回路部からの電力を接続するものである。これにより、空気調和機本体が設置してある場所へ移動して電源コードを抜いたり、電源ブレーカーが設置された場所へ移動したりする作業が不要となり、工事の作業性や、サービス時の作業性を向上することが可能となるとともに、中間期などにも容易に手元の遠隔制御機器から電源を遮断することができ、無駄な待機電力を消費することを抑制することができる。
【０００８】
第２の発明は、特に第１の発明において、第２電源部が、電源回路部からの電力が遮断された後、所定の時間が経過してから電力を供給するもので、所定時間だけ遮断しておくことで、制御部を完全にリセットすることができる。
【０００９】
第３の発明は、特に、第１又は第２の発明において、手元の遠隔制御装置に電源を遮断していることを表示する表示部を備えたもので、これにより現在の電源状態を表示部により確認することができる。
【００１０】
以下、本発明の実施の形態について、図面を参照しながら説明する。なお、この実施の形態によって本発明が限定されるものではない。
【００１１】
（実施の形態１）
図１は、本発明の実施の形態１における空気調和機の回路ブロック図である。図１において、空気調和機は、遠隔制御装置Ａと空気調和機本体Ｂとそれらを結ぶ通信線Ｃとにより構成さる。なお、空気調和機本体Ｂは室内機と室外機に分かれて構成されるのが一般的であるが、本実施の形態では便宜上一つにまとめた形態で説明する。
【００１２】
遠隔制御装置Ａは、電源開閉信号を発生させる電源リセットスイッチ１と、遠隔制御装置Ａを制御する遠隔制御部２と、制御信号を送受信する遠隔通信回路部３と、空気調和機本体Ｂの電源開閉手段６の状態を表示する表示部９とを備えている。空気調和機本体Ｂは、遠隔制御装置Ａと信号を送受信する本体通信回路部４と、本体通信回路部４で受信した遠隔制御装置Ａからの信号に応じて空気調和機本体Ｂの制御を行う本体制御部５と、本体制御部５からの指令により電源回路を開閉させる電源開閉手段６と、空気調和機本体Ｂに電力を供給する電源回路部７と、電力を遮断されても本体制御部５と本体通信回路部４に電源を供給することができる第２電源部として充電部８とを備えている。充電部８は電源回路部７より電力供給を受けて充電され、電力を供給するタイミングを計るタイマー１０が設けられている。
【００１３】
以上のように構成された遠隔制御装置Ａと空気調和機本体Ｂについて、以下その動作、作用を説明する。まず、遠隔制御装置Ａの電源リセットスイッチ１により電源開閉信号のうち、開信号が発生した場合、遠隔制御部２により遠隔通信回路部３を制御し、この信号を遠隔通信回路部３が送信する。空気調和機本体Ｂの本体通信回路４が開信号を検知し、本体制御部５が電源開閉手段６にて電源を遮断する。
【００１４】
この遮断に伴って充電部８のタイマー１０がスタートし、本体制御部５をリセットするのに十分な時間をおいてから、本体制御部５と本体通信部４に電力を供給する。これにより、次に遠隔制御装置Ａの電源リセットスイッチ１により電源開閉信号のうち、閉信号が発生する場合に備えておくことができる。
【００１５】
そして、次に電源リセットスイッチ１により電源開閉信号のうち、閉信号が発生した場合には、遠隔制御部２により遠隔通信回路部３を制御し、この信号を遠隔通信回路部３が送信する。空気調和機本体Ｂの本体通信回路４が閉信号を検知し、本体制御部５が充電部８からの電力を遮断するとともに電源開閉手段６にて電源回路部７を接続して電力を供給する。
【００１６】
充電部８は、本実施の形態のように遠隔制御装置Ａが通信線Ｃで接続されている場合には遠隔制御装置Ａにも電力を供給する。これにより、次に電源リセットスイッチ１により電源開閉信号のうち、閉信号を発生することができるとともに、表示部９に現在の電源開閉手段６の状態を表示して確認し易くしておくことができる。
【００１７】
なお、遠隔制御装置Ａが無線の場合には乾電池や充電電池により電力を供給しておけば良く、表示部９の表示において、双方向通信であれば通信線Ｃを有する場合と同様であり、遠隔制御装置Ａからの送信だけの一方向通信であれば電源リセットスイッチ１の状態を表示するようにしておけば良い。また、電源リセットスイッチ１は、一つで開閉信号を発生しても良いし、開閉別々にスイッチを設けても良い。
【００１８】
以上のように、本実施の形態においては遠隔制御装置Ａの電源リセットスイッチ１の入力により空気調和機本体Ｂの電源を遮断したり、接続したりすることができる。これにより、空気調和機本体が設置してある場所へ移動して電源コードを抜いたり、電源ブレーカーが設置された場所へ移動したりする作業が不要となり、工事の作業性や、サービス時の作業性を向上することが可能となる。また、中間期などにも容易に手元の遠隔制御機器から電源を遮断することができるため、その時には次に電源開閉手段の接続操作をすることができるだけの充電部からの電力が必要なだけであり、それ以外の無駄な待機電力を消費することを抑制することができる。
【００１９】
（実施の形態２）
図２は、本発明の実施の形態２における空気調和機の回路ブロック図である。図２において、実施の形態１で示した充電部８を第２電源開閉手段１１に置き換えて、電源回路部７が第２電源部を兼ねるようにしたものである。
【００２０】
以上のように構成された遠隔制御装置Ａと空気調和機本体Ｂについて、以下その動作、作用を説明する。まず、遠隔制御装置Ａの電源リセットスイッチ１より送信された信号により、空気調和機本体Ｂ側の本体通信回路部４が検知し、制御部５が運転を停止するとともに電源開閉手段６にて電源を遮断する。
【００２１】
通常、第２の電源開閉手段１１は開状態であるが、この遮断に伴ってタイマー１０がスタートし、本体制御部５のリセットに十分な時間をおいてから第２の電源開閉手段１１が閉状態となって本体制御部５と本体通信部４に電源回路部７から電力を供給する。これにより、次に遠隔制御装置Ａの電源リセットスイッチ１により電源開閉信号のうち、閉信号が発生する場合に備えておくことができる。そして、次に電源リセットスイッチ１により電源開閉信号のうち、閉信号が発生した場合には、遠隔制御部２により遠隔通信回路部３を制御し、この信号を遠隔通信回路部３が送信する。空気調和機本体Ｂの本体通信回路４が閉信号を検知し、本体制御部５が電源開閉手段６にて電源を接続する。
【００２２】
以上、実施の形態１と同様に、遠隔制御装置Ａの電源リセットスイッチ１の入力により空気調和機本体Ｂの電源を遮断したり、接続したりすることができ、実施の形態１と同様の効果を得ることができる。
【産業上の利用可能性】
【００２３】
以上のように、本発明にかかる空気調和機は、遠隔制御装置の電源リセットスイッチにて空気調和機の電源遮断が可能となるので、空気調和機を使用しない中間期において、ブレーカーやコンセントを抜く作業をしなくても手元で操作することが可能となり、サービス性、工事性の向上を図ることができる。
【図面の簡単な説明】
【００２４】
【図１】本発明の実施の形態１における空気調和機の回路ブロック図
【図２】本発明の実施の形態２における空気調和機の回路ブロック図
【図３】従来の空気調和機の設置状態を示す断面図
【符号の説明】
【００２５】
Ａ  遠隔制御装置
Ｂ  空気調和機本体
１  電源リセットスイッチ
２  遠隔制御部
３  遠隔通信回路部
４  本体通信回路部
５  本体制御部
６  電源開閉手段
７  制御電源回路
８  充電部
９  表示部
１０  タイマー
１１  第２電源開閉手段
【図１】
2007240019.tif 000003
【図２】
2007240019.tif 000004
【図３】
2007240019.tif 000005